(57)【要約】【課題】複数の画像データを所定枚数の用紙に効率よく振り分けて印刷する印刷装置及び印刷用プログラムを提供すること。【解決手段】画像データのデータ数を取得するデータ取得手段と、ユーザ入力によって用紙の印刷枚数を取得する印刷枚数取得手段と、前記データ数と印刷枚数とに基づいて各用紙１枚当たりの画像の個数、配置および画像サイズを決定する印刷パターン決定手段と、前記印刷パターン決定手段による決定に基づいて印刷を実行する印刷手段とを有する印刷装置。【選択図】        図２
2008230070.tif 000002
【特許請求の範囲】
【請求項１】
画像データのデータ数を取得するデータ取得手段と、
ユーザ入力によって用紙の印刷枚数を取得する印刷枚数取得手段と、
前記データ数と印刷枚数とに基づいて各用紙１枚当たりの画像の個数、配置および画像サイズを決定する印刷パターン決定手段と、
前記印刷パターン決定手段による決定に基づいて印刷を実行する印刷手段と、
を有するものであることを特徴とする印刷装置。
【請求項２】
請求項１に記載する印刷装置において、
１枚の用紙に印刷可能な画像個数の最小値を記憶した画像個数記憶手段と、
前記画像個数の最小値と前記画像データのデータ数とに基づいて印刷可能な用紙の最大枚数を決定し、前記最大枚数を表示する印刷枚数表示手段と、
を有するものであることを特徴とする印刷装置。
【請求項３】
請求項１に記載する印刷装置において、
１枚の用紙に印刷可能な画像個数の最大値を記憶した画像個数記憶手段と、
前記画像個数の最大値と前記画像データのデータ数とに基づいて印刷可能な用紙の最小枚数を決定し、前記最枚数を表示する印刷枚数表示手段と、
を有するものであることを特徴とする印刷装置。
【請求項４】
請求項１に記載する印刷装置において、
１枚の用紙に印刷可能な画像個数の最小値及び最大値を記憶した画像個数記憶手段と、
前記画像個数の最小値及び最大値と前記画像データのデータ数とに基づいて印刷可能な用紙の最小枚数及び最大枚数を決定し、前記最小枚数及び前記最大枚数を表示する印刷枚数表示手段と、
を有するものであることを特徴とする印刷装置。
【請求項５】
請求項２乃至請求項４のいずれかに記載する印刷装置において、
前記印刷枚数表示手段は、印刷可能な用紙の枚数とともに各印刷枚数に対応した１枚当たりに配置される画像の個数を表示するものであることを特徴とする印刷装置。
【請求項６】
請求項１乃至請求項５のいずれかに記載する印刷装置において、
１枚の用紙に対して印刷する画像の個数及び配置、並びにその個数及び配置に基づく画像のサイズを定めた各種テンプレートを記憶したテンプレート記憶手段を備え、
前記印刷パターン決定手段は、少なくとも決定した画像の個数に基づきテンプレート記憶手段が記憶するテンプレートの１つを選択し、
前記印刷手段は、前記印刷パターン決定手段が決定したテンプレートに基づいて印刷するものであることを特徴とする印刷装置。
【請求項７】
請求項６に記載する印刷装置において、
前記印刷枚数表示手段は、１枚当たりの画像の個数が同じになる印刷枚数が複数ある場合には、より少ない印刷枚数のみを表示するものであることを特徴とする印刷装置。
【請求項８】
請求項１乃至請求項７のいずれかに記載する印刷装置において、
前記印刷パターン決定手段は、最後の画像が印刷される用紙に余白が生じる場合には、当該用紙に振り分けられた個数の画像が最も大きなサイズになるように配置するものであることを特徴とする印刷装置。
【請求項９】
請求項１乃至請求項５のいずれかに記載する印刷装置において、
前記印刷パターン決定手段は、最後の画像が印刷される用紙に２画像分以上の余白が生じる場合には、他の用紙に余白を振り分けることにより、１枚の用紙について余白が多くても１画像分になるようにするものであることを特徴とする印刷装置。
【請求項１０】
印刷装置を制御するコンピュータ読み取り可能な印刷用プログラムであって、
前記コンピュータを、
画像データのデータ数を取得するデータ取得手段と、
ユーザ入力によって用紙の印刷枚数を取得する印刷枚数取得手段と、
前記データ数と印刷枚数とに基いて各用紙１枚あたりの画像の個数、配置および画像サイズを決定する印刷パターン決定手段と、
前記印刷パターン決定手段による決定に基づいて印刷を実行する印刷制御手段と、
して機能させる印刷用プログラム。
【発明の詳細な説明】
【技術分野】
【０００１】
この発明は、複数の画像データを所定枚数の用紙に効率よく振り分けて印刷するようにした印刷装置及び印刷用プログラムに関する。
【背景技術】
【０００２】
印刷装置には、例えばデジタルカメラで撮像した複数の画像を印刷する場合に、１枚の用紙に複数の画像を並べて印刷する機能が備えられている。下記特許文献１に提案されている印刷装置では、画像データが読み込まれると画像の総数が検出され、印刷に使用する用紙の枚数が最小となるように、予め記憶されているテンプレートの中から最適なものが選択される。記憶されたテンプレートには、例えば画像の個数が２個、４個、９個、１６個、２５個の画像を配置するものとして図８（Ａ）〜（Ｅ）に示すように設定されたものがある。従って、例えば１１個の画像を印刷しようとすると、最小枚数１の用紙に印刷可能な（Ｄ）に示す１６個のテンプレートが選択され、その配置に従って１１個の画像が印刷される。
【特許文献１】特開２００５−３５２０１号公報
【発明の開示】
【発明が解決しようとする課題】
【０００３】
しかし、こうした従来の印刷装置では、例えば１１個の画像を印刷する場合に、図９に示すように１６個の配置スペースに１１個しか印刷されず、残りのスペースが余白になってしまい、利用者としては無駄であるとの印象を受ける。しかも１個分の画像Ｐｙが小さくなってしまい、画像によっては非常に見難いものとなってしまう。そのため、用紙の枚数が増えたとしても、より大きいサイズの画像で印刷することが望ましい場合がある。そのときには、図８（Ｃ）に示す９個のテンプレートで印刷することを選択すれば、図１０に示すように印刷用紙Ｚ１には９個の画像が印刷され、もう１枚の印刷用紙Ｚ２には残り２個の画像が印刷される。
【０００４】
ところが、このような場合には画像Ｐｚのサイズが大きくなって見やすくなるものの、印刷用紙Ｚ２の余白が多くなってしまい、用紙が無駄に使用されている印象を受けてしまう。また、印刷用紙Ｚ１とＺ２とを比べた場合に、印刷された画像数の差が大きいためバランスが悪くなってしまい、この点でも印象が良くない。
よって、従来の印刷装置では、テンプレートに基づいて用紙を極力少なくして印刷したり、画像のサイズを考慮した印刷をすることはできるが、前述したように、利用者にとって十分な印刷結果が得られるものではなかった。
【０００５】
そこで、本発明は、かかる課題を解決すべく、複数の画像データを所定枚数の用紙に効率よく振り分けて印刷する印刷装置及び印刷用プログラムを提供することを目的とする。
【課題を解決するための手段】
【０００６】
請求項１に係る印刷装置は、画像データのデータ数を取得するデータ取得手段と、ユーザ入力によって用紙の印刷枚数を取得する印刷枚数取得手段と、前記データ数と印刷枚数とに基づいて各用紙１枚当たりの画像の個数、配置および画像サイズを決定する印刷パターン決定手段と、前記印刷パターン決定手段による決定に基づいて印刷を実行する印刷手段とを有するものであることを特徴とする。
また、請求項２に係る印刷装置は、請求項１に記載するものであって、１枚の用紙に印刷可能な画像個数の最小値を記憶した画像個数記憶手段と、前記画像個数の最小値と前記画像データのデータ数とに基づいて印刷可能な用紙の最大枚数を決定し、前記最大枚数を表示する印刷枚数表示手段とを有するものであることを特徴とする。
また、請求項３に係る印刷装置は、請求項１に記載するものであって、１枚の用紙に印刷可能な画像個数の最大値を記憶した画像個数記憶手段と、前記画像個数の最大値と前記画像データのデータ数とに基づいて印刷可能な用紙の最小枚数を決定し、前記最枚数を表示する印刷枚数表示手段とを有するものであることを特徴とする。
【０００７】
また、請求項４に係る印刷装置は、請求項１に記載するものであって、１枚の用紙に印刷可能な画像個数の最小値及び最大値を記憶した画像個数記憶手段と、前記画像個数の最小値及び最大値と前記画像データのデータ数とに基づいて印刷可能な用紙の最小枚数及び最大枚数を決定し、前記最小枚数及び前記最大枚数を表示する印刷枚数表示手段とを有するものであることを特徴とする。
また、請求項５に係る印刷装置は、請求項２乃至請求項４に記載するものであって、前記印刷枚数表示手段は、印刷可能な用紙の枚数とともに各印刷枚数に対応した１枚当たりに配置される画像の個数を表示するものであることを特徴とする。
また、請求項６に係る印刷装置は、請求項１乃至請求項５のいずれかに記載するものであって、１枚の用紙に対して印刷する画像の個数及び配置、並びにその個数及び配置に基づく画像のサイズを定めた各種テンプレートを記憶したテンプレート記憶手段を備え、前記印刷パターン決定手段は、少なくとも決定した画像の個数に基づきテンプレート記憶手段が記憶するテンプレートの１つを選択し、前記印刷手段は、前記印刷パターン決定手段が決定したテンプレートに基づいて印刷するものであることを特徴とする。
【０００８】
また、請求項７に係る印刷装置は、請求項６に記載するものであって、前記印刷枚数表示手段は、１枚当たりの画像の個数が同じになる印刷枚数が複数ある場合には、より少ない印刷枚数のみを表示するものであることを特徴とする。
また、請求項８に係る印刷装置は、請求項１乃至請求項７のいずれかに記載するものであって、前記印刷パターン決定手段は、最後の画像が印刷される用紙に余白が生じる場合には、当該用紙に振り分けられた個数の画像が最も大きなサイズになるように配置するものであることを特徴とする。
また、請求項９に係る印刷装置は、請求項１乃至請求項５のいずれかに記載するものであって、前記印刷パターン決定手段は、最後の画像が印刷される用紙に２画像分以上の余白が生じる場合には、他の用紙に余白を振り分けることにより、１枚の用紙について余白が多くても１画像分になるようにするものであることを特徴とする。
【０００９】
また、請求項１０に係る印刷用プログラムは、印刷装置を制御するコンピュータ読み取り可能な印刷用プログラムであって、前記コンピュータを、画像データのデータ数を取得するデータ取得手段と、ユーザ入力によって用紙の印刷枚数を取得する印刷枚数取得手段と、前記データ数と印刷枚数とに基いて各用紙１枚あたりの画像の個数、配置および画像サイズを決定する印刷パターン決定手段と、前記印刷パターン決定手段による決定に基づいて印刷を実行する印刷制御手段として機能させるものである。
【発明の効果】
【００１０】
よって、請求項１に係る印刷装置、或いは請求項１０印刷用プログラムによれば、データ取得手段により取得した画像データのデータ数と、印刷枚数取得手段により取得した印刷枚数とに基づいて、印刷パターン決定手段が、各用紙１枚当たりの画像の個数、配置および画像サイズを決定し、印刷手段がその決定に基づいて印刷を実行するようにしたので、ユーザによって入力された用紙の枚数に対して複数個の画像を適切に振り分け、１枚の用紙に複数の画像が印刷される場合に、用紙の余白をなるべく少なくして、画像ができるだけ大きくなるようにすることができる。
【００１１】
また、請求項２乃至請求項４に係る印刷装置によれば、印刷枚数表示手段によって印刷可能な用紙の枚数が表示されるため、ユーザはその表示を確認して任意に印刷枚数を入力することができて便利である。
また、請求項６に係る印刷装置によれば、テンプレート記憶手段が、予め画像の個数や配置、並びに画像のサイズを定めた各種テンプレートを記憶し、テンプレート選択手段が、印刷枚数に従ってテンプレートを選択するようにしたため、印刷処理にかかる時間を短縮することができる。
【００１２】
また、請求項５及び請求項７に係る印刷装置によれば、印刷枚数表示手段が、印刷可能な用紙の枚数とともに画像個数を表示したり、より少ない印刷枚数のみを表示するようにしたので、ユーザが印刷枚数を選択し易くなる。
また、請求項８及び請求項９に係る印刷装置によれば、印刷パターン決定手段が、最後の画像が印刷される用紙に余白が生じる場合に、当該用紙に振り分けられた個数の画像が最も大きなサイズになるように配置したり、他の用紙に余白を振り分けて１枚の用紙について余白が多くても１画像分になるようにするため、余白が無駄になっている印象を避けて見栄えを良いものとすることができる。
【発明を実施するための最良の形態】
【００１３】
次に、本発明に係る印刷装置及び印刷用プログラムの一実施形態について図面を参照しながら以下に説明する。本実施形態の印刷装置及び印刷用プログラムは、利用者がデジタルカメラなどで撮影した複数の画像を所定サイズの用紙に印刷する場合に、指定枚数の用紙に印刷すべき複数の画像を効率良く振り分けて印刷することを可能にしたものである。ここで図１は、そうした本実施形態の印刷装置について構成を示したブロック図であり、この印刷装置１に当該印刷を実行するための印刷用プログラムが格納されている。
【００１４】
印刷装置１は、印刷用プログラムなどが記憶されたＲＯＭ１１や、処理中の画像データなどを一時的に記憶するＲＡＭ１２、ユーザの操作指示を入力する入力部１３、処理内容や入力されたデータなどなどの必要な情報をユーザに提示するための表示部１４、メモリカード等の記憶媒体２０を装着するカード挿入部１５、パーソナルコンピュータ等の外部機器とデータ通信を行う入出力インタフェース１６、画像データを用紙にカラー画像で印刷を実行できる印刷部１７、更にこうしたＲＯＭ１１や印刷部１７などを制御する制御部（ＣＰＵ）１０を備えている。そして、この印刷装置１によって次のような印刷が行われる。
【００１５】
印刷装置１を使用して画像を印刷するには、先ず画像データが読み取られてＲＡＭ１２に記憶される。例えば、デジタルカメラに装着したメモリスティックに画像データが記憶され、そのメモリスティックがカード挿入部１５に装着され画像データが読み取られる。また、その他にもデジタルカメラ内蔵のメモリや、パーソナルコンピュータ（ＰＣ）３０のハードディスクに記憶させた画像データであって、それが入出力インタフェース１６に接続した通信ケーブルを介して読み取られる場合がある。そして、取得された画像データは、印刷装置１によって次のような流れに従って印刷処理が実行される。
【００１６】
ここで、図２は、その印刷処理の流れを示したフローチャート図であり、本実施形態の印刷用プログラムによって実行される印刷処理である。
前述したように画像データが読み取られると、印刷装置１では、その画像データのデータ数が取得される（Ｓ１０１）。例えば、本実施形態では所定のフォルダ内に格納された画像データを１１個であるとすれば、印刷装置１では、フォルダから画像データを読み込むことにより、印刷対象となる画像のデータ数が１１であるとの情報が得られる。
【００１７】
そして次に、１枚の用紙に対して印刷可能な画像の最小個数Ｋmin と最大個数Ｋmax が確認され（Ｓ１０２）、取得したデータ数から印刷可能枚数が算出される（Ｓ１０３）。
１枚の用紙に複数の画像を配置して印刷する場合、図８に示すように用紙に配置できる適当な数があり、用紙サイズに応じて画像の最大個数Ｋmax が決められている。本実施形態の印刷装置１では、最小個数Ｋmin が「１」で、最大個数Ｋmax が例えば「３０」として設定され、これがテーブル値として記憶されている。
【００１８】
また、本実施形態の印刷装置１及び印刷用プログラムでは、所定枚数の用紙に複数の画像を効率良く振り分けた印刷を実行する。ここで、複数の画像を効率良く振り分けるとは、用紙の数がデータ数よりも少ない場合には１枚に複数の画像が配置されることになるが、そうした場合に用紙の余白をなるべく少なくし、所定枚数の用紙に対して１個の画像ができるだけ大きくなるように画像を配置して印刷することをいう。
従って、印刷用プログラムでは、利用者が指定した枚数の用紙に印刷を行うようにしているため、Ｓ１０３ではデータ数に対して振り分け可能な用紙の枚数が算出される。
【００１９】
この印刷可能枚数は、データ数Ｎを最大個数Ｋmax を除算（Ｎ／Ｋmax ）して得た最小枚数Ｍmin から、データ数Ｎを最小個数Ｋmin を除算（Ｎ／Ｋmin ）して得た最大枚数Ｍmax までの間の数になる。最小枚数Ｍmin 及び最大枚数Ｍmax の値は、小数点を切り上げている。そこで、例えばデータ数が１１の場合には、印刷可能枚数は最小枚数の１から最大枚数の１１までとなる。印刷可能枚数は、このように最大枚数がデータ数と同値となり、最小枚数は、印刷可能な画像の最大個数３０以下であれば１であるが、最大個数３０を超えた場合に２枚、３枚と変化していく。
【００２０】
そこで、算出された印刷可能枚数の値は表示部１４に表示される（Ｓ１０４）。データ数が１１の場合には、表示部１４に印刷可能枚数として１〜１１の数が表示される。この表示部１４はタッチパネル機能を有しており、そこに表示された数字に利用者が触れることによって印刷枚数が決定される（Ｓ１０５）。そして、ユーザによって印刷枚数が決定されると、画像のデータ数と印刷枚数から１枚当たりの画像の個数や配置、１画像分のサイズが算出される（Ｓ１０６）。
【００２１】
この場合、画像の個数や配置、１画像分のサイズをその都度算出するようにしてもよいが、本実施形態では、１枚の用紙に対して印刷する画像の個数及び配置、並びにその個数及び配置に基づく画像のサイズを定めた各種テンプレートがテーブルとして記憶されている。従って、Ｓ１０６では、Ｓ１０１で得られた画像のデータ数やＳ１０５で得られた印刷枚数に基づいて所定のテンプレートが選択される。そして、テンプレートに従って印刷用紙に対する画像データの配置が行われ（Ｓ１０７）、その配置データに従い印刷部１７によって用紙に実際の印刷が行われる（Ｓ１０８）。なお、本実施形態では、１枚の用紙に対して印刷する画像が、２個、４個、６個、８個、１０個、１２個及び１８個としたテンプレートが記憶されているものとする。
【００２２】
図３乃至図５は、本実施形態の印刷装置１によって印刷された印刷用紙を示した図であり、１１個の画像を３パターンで印刷した場合を示している。
例えば図３は、Ｓ１０５において表示部１４に表示された印刷可能枚数の「３」を選択した場合である。すると、枚数指示によってＳ１０６では１枚の用紙に４個の画像を配置するテンプレートが選択され、図３に示すように３枚のうち２枚の印刷用紙Ａ１，Ａ２には４個の画像Ｐａが印刷され、残りの印刷用紙Ａ３には３個の画像Ｐａが印刷される（Ｓ１０７，Ｓ１０８）。一方、ユーザが印刷枚数として「２」を選択した場合には、図４に示すように１枚の用紙に６個の画像を印刷するテンプレートが選択され、印刷用紙Ｂ１には６個の画像Ｐｂが印刷され、印刷用紙Ｂ２には５個の画像Ｐｂが印刷される。更に、ユーザが印刷枚数として「１」を選択した場合には、図５に示すように１枚の用紙に１２個の画像を印刷するテンプレートが選択され、印刷用紙Ｃ１に１１個の画像Ｐｃが全部印刷される。
【００２３】
よって、本実施形態の印刷装置１及び印刷用プログラムによれば、図３乃至図５に示すように、いずれも指定された枚数の用紙に１１個の画像が印刷されているが、いずれも複数の画像が効率良く振り分けられている。すなわち、余白部分が生じた印刷用紙Ａ３，Ｂ２，Ｃ１にはいずれも画像１個分の余白しかなく、また図３乃至図５のいずれの場合も、指定枚数に振り分けた画像がそれぞれ可能な範囲で最大のサイズで印刷されている。
そのため利用者は、指定枚数の用紙に最も見やすい大きさで印刷された画像を見ることができる。また、余白が少ないため、複数の用紙に振り分けられた画像の数もバランスがとれていて、図３及び図４に示すように並べた印刷用紙（Ａ１とＡ２とＡ３、Ｂ１とＢ２）の見栄えもよい。
【００２４】
また、本実施形態によれば、例えば画像の個数から１枚当たりに配置される画像の数を計算してテンプレートを選択するような面倒なことは必要なく、利用者は、印刷枚数を指定するだけの簡単な操作で効率良く振り分けた印刷の効果が得られる。
【００２５】
ところで、データ数が１０対して利用者が印刷枚数に２を選択した場合、均等に分けるならば、１枚の用紙に５個の画像を配置することになる。しかし、１枚当たりに配置される画像の個数は全てが同じサイズになるように配置が行われるため、通常であれば１枚に６個の画像が配置されることになる。それでは２枚目の余白が画像２個分になってしまい、無駄な印刷である印象を与えてしまう。そこで、余白が生じる最終画像の印刷が行われる用紙については、他の用紙とは別に画像の配置を決定するようにしてもよい。
【００２６】
データ数が１０に対して利用者が印刷枚数に２を選択した場合は、図２に示すＳ１０６の処理において、先ず通常通りに６個の画像を配置するテンプレートが選択され、そして最後の用紙（最後の画像が印刷される用紙）に振り分けられた残りの画像が最も大きなサイズで配置できるテンプレートを選択する。従って、これにより１０個の画像は、図６に示すように６個と４個に振り分けられ、印刷用紙Ｄ１，Ｄ２にはそれぞれ異なるサイズの画像Ｐｄ１，Ｐｄ２が印刷される。
【００２７】
その一方で、画像のサイズが印刷用紙間で異なることを好まない場合もある。従って、最後の用紙に画像２個分以上の余白が生じる場合には、他の印刷用紙に余白を振り分けることにより、１枚の印刷用紙には多くても画像１個分の余白差しかできないようにしてもよい。１０個の画像を２枚に用紙に印刷する場合は、図４に示す印刷用紙Ｂ２のように、５個の画像が２枚に振り分けられて印刷される。
【００２８】
また、利用者は印刷枚数を指定するだけでよいため、手持ちの用紙が限られているような場合にはその枚数を指定するようなことになるが、用紙の枚数に余裕がある場合には任意に枚数を選択して印刷を行うことになる。そうした場合、選択した枚数では思ったより１枚当たりに配置された画像の個数が多くなってしまい、１画像分のサイズが小さくなってしまうようなことがあり得る。そこで、印刷可能枚数を表示する表示部１４には、図６に示すように印刷枚数の数字に対応させて、１枚当たりに配置される画像個数の数字を表示するようにする。
【００２９】
この場合、印刷用プログラムでは、図２に示すＳ１０３の処理で印刷可能枚数を算出するとともに、その印刷枚数と予め記憶されているテンプレートに基づいて、各印刷枚数に対応した１枚当たりに配置される画像の個数も算出する。そして、その結果をＳ１０４の処理において図７に示すように表示部１４に表示する。これによって利用者は、希望する印刷枚数の場合、１枚に何個の画像が配置されるかを簡単に確認することができ、印刷のイメージがしやすくなって枚数の選択ミスを無くすことができるようになる。
【００３０】
例えばデータ数が１１であって、記憶されているテンプレートが上記のとおりである場合、印刷枚数と画像個数との関係は図７に示すようになるが、図示していない印刷枚数が４の場合には１枚当たりの画像は４個であり、印刷枚数が６枚から１０枚までは画像個数が２である。すると、印刷枚数が４を選択しても、１枚当たりの画像が４個であれば３枚で収まってしまう。また、印刷枚数が７枚から１０枚までも１枚当たりの画像が２個であれば６枚で収まってしまう。そのため、１枚当たりの画像の個数が同じであって、より少ない枚数で画像を配置できるような場合には、表示部１４には当該枚数の数字をとばして表示するようにする。これにより、余白の無駄を更に無くすことができ、利用者にとっても便利である。
【００３１】
ところで、以上のような印刷処理を実行させる印刷用プログラムは、本実施形態では印刷装置１のＲＯＭ１１に記憶されているが、ＣＤ−ＲＯＭ、ＦＤ、ＭＯなどのリムーバブル型記録媒体に記録されたものとして存在するものもある。そうした場合には、印刷用プログラムをＰＣにインストールして、当該ＰＣを印刷制御装置とすることが可能である。印刷用プログラムが格納されたＰＣでは、それ自体によって図２に示すＳ１０１〜Ｓ１０７の処理が可能であり、その後、画像データとともに当該画像データを配置した配置データが印刷装置に印刷指令信号として送信することにより、印刷装置によって前述したような印刷と同様の印刷が行われる。
【００３２】
以上、本発明に係る印刷装置及び印刷用プログラムの一実施形態について説明したが、本発明はこれに限定されることなく、その趣旨を逸脱しない範囲で様々な変更が可能である。
例えば、印刷可能枚数を表示部１４に表示する場合、画像のデータ数に比例して印刷可能枚数も増えてしまって何十枚にもなると表示できなくなってしまう。そこで、印刷可能枚数が例えば１０を超えるような場合には、１０ずつ区切って画面を切り換えられるようにしてもよい。また、入力部１３のテンキーによって印刷可能枚数の範囲内で数を入力できるようにしてもよい。
【００３３】
また、例えば、表示部１４に表示された印刷枚数をユーザが指定した場合、その指定枚数であれば１枚当たりの画像の個数が幾つになるか、最後の用紙の余白は画像何個分になるかなどの情報を表示するとともに「確認」と「キャンセル」を表示し、最終確認と枚数指定のやり直しとを行わせるようにしてもよい。
【図面の簡単な説明】
【００３４】
【図１】一実施形態の印刷装置についてその構成を示したブロック図である。
【図２】一実施形態の印刷用プログラムによって実行される印刷処理の流れを示したフローチャート図である。
【図３】３枚の印刷用紙に振り分けて印刷された実施形態の印刷用紙を示した図である。
【図４】２枚の印刷用紙に振り分けて印刷された実施形態の印刷用紙を示した図である。
【図５】１枚の印刷用紙に印刷された実施形態の印刷用紙を示した図である。
【図６】画像のサイズを変えて印刷された実施形態の印刷用紙を示した図である。
【図７】実施形態の印刷装置について表示部の表示例を示した図である。
【図８】複数画像の配置を決定するテンプレートを示した図である。
【図９】従来の印刷装置によって印刷された印刷用紙を示した図である。
【図１０】従来の印刷装置によって印刷された印刷用紙を示した図である。
【符号の説明】
【００３５】
１    印刷装置
１０  ＣＰＵ
１１  ＲＯＭ
１２  ＲＡＭ
１３  入力部
１４  表示部
１５  外部メモリ挿入部
１６  入出力１／Ｆ
１７  印刷部
２０  外部メモリ
３０  パーソナルコンピュータ
【図１】
2008230070.tif 000003
【図２】
2008230070.tif 000004
【図３】
2008230070.tif 000005
【図４】
2008230070.tif 000006
【図５】
2008230070.tif 000007
【図６】
2008230070.tif 000008
【図７】
2008230070.tif 000009
【図８】
2008230070.tif 000010
【図９】
2008230070.tif 000011
【図１０】
2008230070.tif 000012